(57)【要約】【課題】レンズ鏡筒において、組付け時の光軸倒れを防止する。【解決手段】第１中心軸Ｓ１を画定するベース筒部、ベース筒部に形成された第１ネジ部１３、撮像素子を実装した基板を取り付けるべくベース筒部の後端に形成されると共に撮像素子の中心垂直線を第１中心軸に一致させるように形成されたベースフランジ部１２を有するベース筒部材１０、レンズを保持すると共にレンズの光軸Ｌを一致させる第２中心軸Ｓ２を画定するレンズ筒部、レンズ筒部に形成された第２ネジ部２３を有するレンズ筒部材２０を備え、ベース筒部材１０及びレンズ筒部材２０は、第２ネジ部を第１ネジ部に螺合させる際に、第２中心軸を第１中心軸に一致させるようにレンズ筒部材をガイドするガイド部１４及びガイド部にガイドされる被ガイド部２４を有する。これによれば、組付け時の光軸倒れを防止することができる。【選択図】図５
2015210407.tif 000002
【特許請求の範囲】
【請求項１】
基準となる第１中心軸を画定するベース筒部を有するベース筒部材と、レンズを保持すると共に前記レンズの光軸を一致させる第２中心軸を画定するレンズ筒部を有するレンズ筒部材を備え、前記レンズ筒部材を前記ベース筒部材に組み付けるレンズ鏡筒であって、
前記ベース筒部材は、前記第２中心軸を前記第１中心軸に一致させるように前記レンズ筒部材をガイドするガイド部を有し、
前記レンズ筒部材は、前記第２中心軸を前記第１中心軸に一致させるように前記ガイド部にガイドされる被ガイド部を有する、
ことを特徴とするレンズ鏡筒。
【請求項２】
前記ベース筒部材は、前記ベース筒部に形成された第１ネジ部を有し、
前記レンズ筒部材は、前記レンズ筒部に形成された第２ネジ部を有し、
前記レンズ筒部材は、前記第２ネジ部を前記第１ネジ部に螺合させて、前記ベース筒部材に組み付けられる、
ことを特徴とする請求項１に記載のレンズ鏡筒。
【請求項３】
前記第１ネジ部は、前記ベース筒部の内周に形成された雌ネジ部であり、
前記第２ネジ部は、前記レンズ筒部の外周に形成された雄ネジ部であり、
前記ガイド部は、前記ベース筒部の内側に形成され、
前記被ガイド部は、前記レンズ筒部の外側に形成されている、
ことを特徴とする請求項２に記載のレンズ鏡筒。
【請求項４】
前記ガイド部は、前記ベース筒部の内周において、前記雌ネジ部に隣接して円筒面をなすように形成された一つの円筒ガイド部であり、
前記被ガイド部は、前記レンズ筒部の外周において、前記雄ネジ部に隣接して円筒面をなすように形成された一つの円筒被ガイド部である、
ことを特徴とする請求項３に記載のレンズ鏡筒。
【請求項５】
前記ベース筒部材は、前記ベース筒部の後端に形成されたベースフランジ部を有すると共に、前記第１中心軸の方向において、前記雌ネジ部と前記ベースフランジ部の間に組み付けられた光学要素を含む、
ことを特徴とする請求項４に記載のレンズ鏡筒。
【請求項６】
前記ガイド部は、前記第１中心軸の方向において前記雌ネジ部よりも後方側に形成され前記雌ネジ部の内径よりも小さい内径にて接触する小径ガイド部を含み、
前記被ガイド部は、前記第２中心軸の方向において前記雄ネジ部よりも後方側に形成され前記雄ネジ部の外径よりも小さい外径にて前記小径ガイド部に接触する小径被ガイド部を含む、
ことを特徴とする請求項３に記載のレンズ鏡筒。
【請求項７】
前記ガイド部は、前記第１中心軸の方向において前記雌ネジ部よりも前方側に形成され前記雌ネジ部の内径よりも大きい内径にて接触する大径ガイド部を含み、
前記被ガイド部は、前記第２中心軸の方向において前記雄ネジ部よりも前方側に形成され前記雄ネジ部の外径よりも大きい外径にて前記大径ガイド部に接触する大径被ガイド部を含む、
ことを特徴とする請求項３に記載のレンズ鏡筒。
【請求項８】
前記ガイド部は、前記第１中心軸の方向において、前記雌ネジ部よりも後方側に形成され前記雌ネジ部の内径よりも小さい内径にて接触する小径ガイド部と、前記雌ネジ部よりも前方側に形成され前記雌ネジ部の内径よりも大きい内径にて接触する大径ガイド部を含み、
前記被ガイド部は、前記第２中心軸の方向において、前記雄ネジ部よりも後方側に形成され前記雄ネジ部の外径よりも小さい外径にて前記小径ガイド部に接触する小径被ガイド部と、前記雄ネジ部よりも前方側に形成され前記雄ネジ部の外径よりも大きい外径にて前記大径ガイド部に接触する大径被ガイド部を含む、
ことを特徴とする請求項３に記載のレンズ鏡筒。
【請求項９】
前記レンズ筒部材は、前記第２中心軸の方向において、前記小径被ガイド部の内側の領域に組み付けられた光学要素を含む、
ことを特徴とする請求項６又は８に記載のレンズ鏡筒。
【請求項１０】
前記ガイド部と前記被ガイド部は、全周領域に亘って接触し又は全周のうち複数箇所に亘って部分的に接触するように形成されている、
ことを特徴とする請求項６ないし９いずれか一つに記載のレンズ鏡筒。
【請求項１１】
レンズを保持したレンズ鏡筒と、前記レンズ鏡筒の後端に固定されると共に撮像素子が実装された基板と、を備えた撮像装置であって、
前記レンズ鏡筒は、請求項１ないし１０いずれか一つに記載のレンズ鏡筒である、
ことを特徴とする撮像装置。
【発明の詳細な説明】
【技術分野】
【０００１】
本発明は、レンズを組み込んだレンズ鏡筒及びそれを備えた撮像装置に関し、特に、レンズを保持するレンズ筒部材及びレンズ筒部材を螺合して固定すると共に撮像素子を実装した基板を固定するベース筒部材を備えたレンズ鏡筒及び撮像装置に関する。
【背景技術】
【０００２】
従来のレンズ鏡筒としては、複数のレンズを配列して保持するレンズ筒部及びレンズ筒部の外周に形成された雄ネジ部を有するレンズ筒部材（レンズホルダー）、レンズ筒部材を受け入れるベース筒部，ベース筒部の内周に形成された雌ネジ部，及びベース筒部の後端に形成されたベースフランジ部を有するベース筒部材（ベース）等を備えた構成において、ベース筒部材においては、そのベース筒部の中心軸とベースフランジ部に固定される基板の撮像素子（の受光部）の中心とが合致するようにかつ雌ネジ部がベース筒部の中心軸と同軸となるように形成され、レンズ筒部材においては、そのレンズ筒部の中心軸と組み込まれるレンズの光軸とが合致するようにかつ雄ネジ部がレンズ筒部の中心軸と同軸となるように形成され、レンズ等が予め組み込まれたレンズ筒部材の雄ネジ部が、ベース筒部材の雌ネジ部に螺合されると共にその螺合量（捩じ込み量）を適宜調整することにより、ベース筒部材に固定される撮像素子に対して光軸調整（フォーカス調整）を行うようにしたレンズ鏡筒、又、このレンズ鏡筒のベース筒部材（のベースフランジ部）に撮像素子を実装した基板を組み付けた構成からなる撮像装置が知られている（例えば、特許文献１を参照）。
【０００３】
しかしながら、上記のレンズ鏡筒においては、レンズ筒部材の雄ネジ部をベース筒部材の雌ネジ部に螺合させるだけで両者を組み付ける構成であるため、光軸方向の調整（フォーカス調整）は可能であっても、雄ネジ部と雌ネジ部の間には、寸法上の製造誤差（バラツキ）、バックラッシ等による隙間やガタツキ等があり、レンズ筒部材をベース筒部材に組み付けた状態において、ベース筒部材の中心軸（撮像素子の中心を通る垂直線）に対してレンズ筒部材の中心軸（すなわち、レンズの光軸）が傾くような光軸倒れ（光軸の傾き）を生じる虞があった。
それ故に、上記従来のレンズ鏡筒においては、撮像素子（の受光面）に対してレンズの光軸を垂直に合わせる光軸調整（レンズの光軸倒れを防止する）という点においては、不十分な構造であった。
また、レンズを光軸回りに回転させて調整するべくレンズ筒部材及びベース筒部材に貫通孔（窓部）を設けているため、外部から水滴等が侵入する虞があり、防水性が不十分であった。
【先行技術文献】
【特許文献】
【０００４】
【特許文献１】特開２００５−２１５３６９号公報
【発明の概要】
【発明が解決しようとする課題】
【０００５】
本発明は、上記従来技術の事情に鑑みて成されたものであり、その目的とするところは、構造の簡素化、小型化、低コスト化等を図りつつ、組み立てが容易であり、レンズの光軸調整（光軸の倒れを防止する、光軸方向におけるフォーカス調整等）を容易に行うことができ、又、防水性も確保でき、所望の光学特性を確保することができるレンズ鏡筒及び撮像装置を提供することにある。
【課題を解決するための手段】
【０００６】
本発明のレンズ鏡筒は、基準となる第１中心軸を画定するベース筒部を有するベース筒部材と、レンズを保持すると共にレンズの光軸を一致させる第２中心軸を画定するレンズ筒部を有するレンズ筒部材を備え、レンズ筒部材をベース筒部材に組み付けるレンズ鏡筒であって、上記ベース筒部材は、第２中心軸を第１中心軸に一致させるようにレンズ筒部材をガイドするガイド部を有し、上記レンズ筒部材は、第２中心軸を第１中心軸に一致させるようにガイド部にガイドされる被ガイド部を有する、ことを特徴としている。
この構成によれば、レンズの光軸がレンズ筒部の第２中心軸と一致するように予めレンズがレンズ筒部に組み込まれたレンズ筒部材を、ベース筒部材に組み付ける際に、レンズ筒部材の被ガイド部がベース筒部材のガイド部にガイドされて、レンズ筒部材の第２中心軸（レンズの光軸）がベース筒部材の基準となる第１中心軸に一致させられるため、第１中心軸に対する第２中心軸（及びレンズの光軸）の傾きが防止される。
すなわち、ベース筒部材の第１中心軸、レンズ筒部材の第２中心軸、及びレンズ筒部材に保持されたレンズの光軸は、全て同一の直線上にて一致することになる。
このように、ベース筒部材及びレンズ筒部材を製造する際に所定寸法を管理し、レンズを組み込んだレンズ筒部材をベース筒部材に組み付け、フォーカス調整を行うだけで、全体の光軸調整を容易に行うことができ、構造の簡素化、小型化、低コスト化等を達成しつつ、組み立てが容易で、所望の光学特性を満足するレンズ鏡筒を得ることができる。
【０００７】
上記構成において、ベース筒部材は、ベース筒部に形成された第１ネジ部を有し、レンズ筒部材は、レンズ筒部に形成された第２ネジ部を有し、レンズ筒部材は、第２ネジ部を第１ネジ部に螺合させてベース筒部材に組み付けられる、構成を採用することができる。
この構成によれば、レンズの光軸がレンズ筒部の第２中心軸と一致するように予めレンズがレンズ筒部に組み込まれたレンズ筒部材を、ベース筒部材に組み付けるべく、レンズ筒部材の第２ネジ部（雄ネジ部及び雌ネジ部の一方）をベース筒部材の第１ネジ部（雄ネジ部及び雌ネジ部の他方）に螺合させると、例え螺合関係にガタツキ等が生じていても、レンズ筒部材の被ガイド部がベース筒部材のガイド部にガイドされて、レンズ筒部材の第２中心軸（レンズの光軸）がベース筒部材の基準となる第１中心軸に一致させられるため、第１中心軸に対する第２中心軸（及びレンズの光軸）の傾きが防止される。
すなわち、ベース筒部材の第１中心軸、レンズ筒部材の第２中心軸、及びレンズ筒部材に保持されたレンズの光軸は、全て同一の直線上にて一致することになる。
したがって、この状態において、ベース筒部材の後端（例えば、ベースフランジ部）に対して、例えば、検査用の撮像素子を実装した基板を（撮像素子の中心垂直線を第１中心軸と一致させるように）仮止めの状態で配置して、撮像素子により撮影される画像を確認しつつ、レンズ筒部材の捩じ込み量（第１ネジ部に対する第２ネジ部の螺合量）を適宜調整することで、光軸の方向（第１中心軸及び第２中心軸の方向）におけるフォーカス調整を行うことができ、調整後において両者を接着剤等により（例えば、予めネジ部に塗布した接着剤を自然乾燥させることにより）固着させて調整位置のずれを防止することができる。
このように、ベース筒部材及びレンズ筒部材を製造する際に所定寸法を管理し、レンズを組み込んだレンズ筒部材をベース筒部材に螺合して組み付け、フォーカス調整を行うだけで、全体の光軸調整を容易に行うことができ、構造の簡素化、小型化、低コスト化等を達成しつつ、組み立てが容易で、所望の光学特性を満足するレンズ鏡筒を得ることができる。
【０００８】
上記構成において、第１ネジ部は、ベース筒部の内周に形成された雌ネジ部であり、第２ネジ部は、レンズ筒部の外周に形成された雄ネジ部であり、ガイド部は、ベース筒部の内側に形成され、被ガイド部は、レンズ筒部の外側に形成されている、構成を採用することができる。
この構成によれば、ベース筒部材（のベース筒部）の内周に形成された雌ネジ部に対して、レンズ筒部材（のレンズ筒部）の外周に形成された雄ネジ部を螺合させつつ組み付けることにより、光軸調整（フォーカス調整）を容易に行うことができ、特に、レンズ筒部材をベース筒部材の内側に嵌め込むように組み付けるため、視認性が良く、組付け作業を容易に行うことができ、又、ベース筒部材及びレンズ筒部材の外壁に貫通孔等を設けないため、内部に水滴等が侵入するのを防止できる。
【０００９】
上記構成において、ガイド部は、ベース筒部の内周において、雌ネジ部に隣接して円筒面をなすように形成された一つの円筒ガイド部であり、被ガイド部は、レンズ筒部の外周において、雄ネジ部に隣接して円筒面をなすように形成された一つの円筒被ガイド部である、構成を採用することができる。
この構成によれば、レンズ筒部材の雄ネジ部をベース筒部材の雌ネジ部に螺合させると、例え螺合関係にガタツキ等が生じていても、レンズ筒部材の円筒被ガイド部がベース筒部材の円筒ガイド部に全周に亘ってガイドされて、レンズ筒部材の第２中心軸（レンズの光軸）がベース筒部材の基準となる第１中心軸に一致させられるため、第１中心軸に対する第２中心軸（及びレンズの光軸）の傾きが防止される。
ここでは、ガイド部及び被ガイド部として、雌ネジ部に隣接する（と共に第１中心軸の方向に所定長さの）円筒面をなす一つの円筒ガイド部及び雄ネジ部に隣接する（と共に第２中心軸の方向に所定長さの）円筒面をなす一つの円筒被ガイド部を採用するため、ベース筒部材及びレンズ筒部材を光軸の方向（第１中心軸及び第２中心軸の方向）において小型化しつつも、光軸倒れを防止することができる。
【００１０】
上記構成において、ベース筒部材は、ベース筒部の後端に形成されたベースフランジ部を有すると共に、第１中心軸の方向において、雌ネジ部とベースフランジ部の間に組み付けられた光学要素を含む、構成を採用することができる。
この構成によれば、ベース筒部材において光学要素（例えば、絞り部材、光学フィルタ等）を設けるため、レンズ筒部材の小型化を達成しつつ、光軸調整を容易に行うことができ、又、所望の光学特性を得ることができる。
【００１１】
上記構成において、ガイド部は、第１中心軸の方向において雌ネジ部よりも後方側に形成され雌ネジ部の内径よりも小さい内径にて接触する小径ガイド部を含み、被ガイド部は、第２中心軸の方向において雄ネジ部よりも後方側に形成され雄ネジ部の外径よりも小さい外径にて小径ガイド部に接触する小径被ガイド部を含む、構成を採用することができる。
この構成によれば、レンズ筒部材の雄ネジ部をベース筒部材の雌ネジ部に螺合させると、例え螺合関係にガタツキ等が生じていても、レンズ筒部材の小径被ガイド部がベース筒部材の小径ガイド部にガイドされて、レンズ筒部材の第２中心軸（レンズの光軸）がベース筒部材の基準となる第１中心軸に一致させられるため、第１中心軸に対する第２中心軸（及びレンズの光軸）の傾きが防止される。
【００１２】
上記構成において、ガイド部は、第１中心軸の方向において雌ネジ部よりも前方側に形成され雌ネジ部の内径よりも大きい内径にて接触する大径ガイド部を含み、被ガイド部は、第２中心軸の方向において雄ネジ部よりも前方側に形成され雄ネジ部の外径よりも大きい外径にて大径ガイド部に接触する大径被ガイド部を含む、構成を採用することができる。
この構成によれば、レンズ筒部材の雄ネジ部をベース筒部材の雌ネジ部に螺合させると、例え螺合関係にガタツキ等が生じていても、レンズ筒部材の大径被ガイド部がベース筒部材の大径ガイド部にガイドされて、レンズ筒部材の第２中心軸（レンズの光軸）がベース筒部材の基準となる第１中心軸に一致させられるため、第１中心軸に対する第２中心軸（及びレンズの光軸）の傾きが防止される。
【００１３】
上記構成において、ガイド部は、第１中心軸の方向において、雌ネジ部よりも後方側に形成され雌ネジ部の内径よりも小さい内径にて接触する小径ガイド部と、雌ネジ部よりも前方側に形成され雌ネジ部の内径よりも大きい内径にて接触する大径ガイド部を含み、被ガイド部は、第２中心軸の方向において、雄ネジ部よりも後方側に形成され雄ネジ部の外径よりも小さい外径にて小径ガイド部に接触する小径被ガイド部と、雄ネジ部よりも前方側に形成され雄ネジ部の外径よりも大きい外径にて大径ガイド部に接触する大径被ガイド部を含む、構成を採用することができる。
この構成によれば、レンズ筒部材の雄ネジ部をベース筒部材の雌ネジ部に螺合させると、例え螺合関係にガタツキ等が生じていても、レンズ筒部材の小径被ガイド部がベース筒部材の小径ガイド部にガイドされかつレンズ筒部材の大径被ガイド部がベース筒部材の大径ガイド部にガイドされて、レンズ筒部材の第２中心軸（レンズの光軸）がベース筒部材の基準となる第１中心軸に一致させられるため、第１中心軸に対する第２中心軸（及びレンズの光軸）の傾きが防止される。
ここでは、ガイド部及び被ガイド部として、雌ネジ部を挟んで二つのガイド部（小径ガイド部及び大径ガイド部）、雄ネジ部を挟んで二つの被ガイド部（小径被ガイド部及び大径被ガイド部）を採用するため、一つのガイド部及び被ガイド部を採用する場合に比べて、より確実に光軸倒れを防止することができる。
【００１４】
上記構成において、レンズ筒部材は、第２中心軸の方向において、小径被ガイド部の内側の領域に組み付けられた光学要素を含む、構成を採用することができる。
この構成によれば、レンズ筒部材の小径被ガイド部の内側に光学要素（例えば、絞り部材、光学フィルタ等）を設けるため、ガイド部及び被ガイド部として、雌ネジ部及び雄ネジ部を挟んで配置された二つのガイド部及び被ガイド部を採用しつつも、レンズ鏡筒としての光軸の方向（第１中心軸及び第２中心軸の方向）における全長が長くなるのを抑制でき、所望の光学特性を得ることができる。
【００１５】
上記構成において、二つのガイド部及び被ガイド部は、全周領域に亘って接触し又は全周のうち複数箇所に亘って部分的に接触するように形成されている、構成を採用することができる。
この構成によれば、例えば、レンズ筒部材の被ガイド部（小径被ガイド部、大径被ガイド部）が円筒面として形成され、ベース筒部材のガイド部（小径ガイド部、大径ガイド部）が円筒面又は複数個所（少なくとも３箇所）にて接触する形態に形成された場合でも、光軸倒れを確実に防止することができ、又、レンズ筒部材の被ガイド部（小径被ガイド部、大径被ガイド部）が円筒面又は複数個所（少なくとも３箇所）にて接触する形態に形成され、ベース筒部材のガイド部（小径ガイド部、大径ガイド部）が円筒面として形成された場合でも、光軸倒れを確実に防止することができる。
【００１６】
本発明の撮像装置は、レンズを保持したレンズ鏡筒と、レンズ鏡筒の後端に固定されると共に撮像素子が実装された基板と、を備えた撮像装置であって、レンズ鏡筒として、上記の構成をなすレンズ鏡筒のうちのいずれか一つのレンズ鏡筒を採用した、ことを特徴としている。
この構成によれば、構造の簡素化、小型化、低コスト化等を達成しつつ、組み立てが容易であり、レンズの光軸調整（光軸の倒れを防止でき、光軸方向におけるフォーカス調整等）を容易に行うことができ、又、防水性も確保でき、所望の光学特性を確保することができる撮像装置を得ることができる。
【発明の効果】
【００１７】
上記構成をなすレンズ鏡筒によれば、構造の簡素化、小型化、低コスト化等を達成しつつ、組み立てが容易であり、レンズの光軸調整（光軸の倒れを防止でき、光軸方向におけるフォーカス調整等）を容易に行うことができ、又、防水性も確保でき、所望の光学特性を確保することができるレンズ鏡筒及びそれを備えた撮像装置を得ることができる。
【図面の簡単な説明】
【００１８】
【図１】本発明に係るレンズ鏡筒を含む撮像装置の第１の実施形態を示す側面図である。
【図２】図１に示すレンズ鏡筒に含まれるベース筒部材及びレンズ筒部材の係合関係を示すものであり、図１中のＥ１−Ｅ１における断面図である。
【図３】図１に示すレンズ鏡筒に含まれるベース筒部材を示すものであり、（ａ）はその側面図、（ｂ）はその後方から視た背面図、（ｃ）はその第１中心軸を通る縦断面図である。
【図４】図１に示すレンズ鏡筒に含まれるレンズ筒部材を示すものであり、（ａ）はその側面図、（ｂ）はその後方から視た背面図、（ｃ）はその第２中心軸を通る縦断面図である。
【図５】図１に示すレンズ鏡筒を含む撮像装置を示すものであり、第１中心軸及び第２中心軸（及び光軸）を通る縦断面図である。
【図６】本発明に係るレンズ鏡筒を含む撮像装置の第２の実施形態を示す側面図である。
【図７】図６に示すレンズ鏡筒に含まれるベース筒部材及びレンズ筒部材の係合関係を示すものであり、（ａ）は図６中のＥ２−Ｅ２における断面図、（ｂ）は図６中のＥ３−Ｅ３における断面図である。
【図８】図６に示すレンズ鏡筒に含まれるベース筒部材を示すものであり、（ａ）はその側面図、（ｂ）はその前方から視た正面図、（ｃ）はその第１中心軸を通る縦断面図である。
【図９】図６に示すレンズ鏡筒に含まれるレンズ筒部材を示すものであり、（ａ）はその側面図、（ｂ）はその後方から視た背面図、（ｃ）はその第２中心軸を通る縦断面図である。
【図１０】図６に示すレンズ鏡筒を含む撮像装置を示すものであり、第１中心軸及び第２中心軸（及び光軸）を通る縦断面図である。
【発明を実施するための形態】
【００１９】
以下、本発明の実施形態について、添付図面を参照しつつ説明する。
先ず、本発明に係るレンズ鏡筒の第１実施形態及び撮像装置について、図１ないし図５を参照しつつ説明する。
この実施形態に係るレンズ鏡筒は、図１ないし図５に示すように、略円筒状に形成されたベース筒部材１０、略円筒状に形成されてベース筒部材１０に螺合により組み付けられるレンズ筒部材２０等を備えている。
そして、上記レンズ鏡筒（のベース筒部材１０の後端）に撮像素子３０を実装した基板４０が組み付けられることにより、撮像装置が構成されるようになっている。
【００２０】
ベース筒部材１０は、樹脂材料等により形成されており、図３（ａ），（ｂ），（ｃ）に示すように、基準となる第１中心軸Ｓ１を画定する円筒状のベース筒部１１、ベース筒部１１の後端に形成されたベースフランジ部１２、ベース筒部１１の内周に形成された第１ネジ部としての雌ネジ部１３、第１中心軸Ｓ１の方向において雌ネジ部１３の前方側Ｆに隣接してベース筒部１１の内周に形成された形成されたガイド部としての円筒ガイド部１４、第１中心軸Ｓ１の方向において雌ネジ部１３の後方側Ｒに形成された光学要素としての光学フィルタＯＦを取り付ける凹部１５等を備えている。
【００２１】
ベース筒部１１は、図３（ａ），（ｃ）に示すように、第１中心軸Ｓ１の方向に伸長する円筒状に形成されている。
ベースフランジ部１２は、図３（ａ），（ｂ），（ｃ）に示すように、ベース筒部１１の後端に一体的に形成されており、撮像素子３０を実装した基板４０を取り付けるべく略矩形の輪郭をなす後端面１２ａを有する。
後端面１２ａは、図３（ｂ），（ｃ）及び図５に示すように、基板４０を取り付けた状態において、実装された撮像素子３０の撮像面の中心を通る中心垂直線を第１中心軸Ｓ１に一致させるように形成されている（すなわち、第１中心軸Ｓ１に対する垂直度、撮像素子３０の中心位置の位置決め部等の製造寸法が所定値となるように管理されている）。
【００２２】
雌ネジ部１３は、図３（ｃ）及び図５に示すように、ベース筒部１１の内周において、第１中心軸Ｓ１の方向に所定の長さに亘って形成されており、レンズ筒部材２０の雄ネジ部２３と螺合するようになっている。
円筒ガイド部１４は、図２、図３（ｃ）及び図５に示すように、ベース筒部１１の内周において、雌ネジ部１３の前方側Ｆに隣接して円筒面１４ａをなすように形成されている。
円筒面１４ａは、第１中心軸Ｓ１の方向において所定長さをなすと共に、その中心線が第１中心軸Ｓ１と一致するように形成されている（すなわち、第１中心軸Ｓ１に対する同軸度等の製造寸法が管理されている）。
そして、円筒ガイド部１４は、レンズ筒部材２０の雄ネジ部２３をベース筒部材１０の雌ネジ部１３に螺合させる際に、第２中心軸Ｓ２を第１中心軸Ｓ１に一致させるようにレンズ筒部材２０をガイドする役割をなすものである。
凹部１５は、図３（ｃ）及び図５に示すように、第１中心軸Ｓ１の方向において、雌ネジ部１３とベースフランジ部１２の間に略矩形をなす光学フィルタＯＦを挿入して接着等により固着するべく、略矩形の環状をなすように形成されている。
【００２３】
レンズ筒部材２０は、樹脂材料等により形成されており、図４（ａ），（ｂ），（ｃ）に示すように、第２中心軸Ｓ２を画定するレンズ筒部２１、レンズ筒部２１の内側に形成されてレンズＧを保持する保持部２１ａ、レンズ筒部２１の外周に形成された外環部２２、レンズ筒部２１の外周に形成された第２ネジ部としての雄ネジ部２３、第２中心軸Ｓ２の方向において雄ネジ部２３の前方側Ｆに隣接してレンズ筒部２１の外周に形成された被ガイド部としての円筒被ガイド部２４等を備えている。
【００２４】
レンズ筒部２１は、図４（ａ），（ｂ），（ｃ）に示すように、第２中心軸Ｓ２の方向に伸長する多段円筒状に形成されている。
保持部２１ａは、レンズＧを嵌め込んで固着するように形成されている。ここで、レンズＧは、レンズ筒部材２０に予め組付ける際に、その光軸Ｌが第２中心軸Ｓ２と一致するように調整しつつ組み込まれるようになっている。
外環部２２は、図５に示すように、ベース筒部材１０に螺合した状態において、ベース筒部材１０のベース筒部１１の外輪郭と略同一の外輪郭をなすように形成されている。
雄ネジ部２３は、図４（ａ）及び図５に示すように、レンズ筒部２１の内周において、第２中心軸Ｓ２の方向に所定の長さに亘って形成されており、ベース筒部材１０の雌ネジ部１３と螺合するようになっている。
円筒被ガイド部２４は、図２、図４（ａ），（ｃ）及び図５に示すように、レンズ筒部２１の外周において、雄ネジ部２３の前方側Ｆに隣接して円筒面２４ａをなすように形成されている。
円筒面２４ａは、第２中心軸Ｓ２の方向において所定長さをなすと共に、その中心線が第２中心軸Ｓ２と一致するように形成されている（すなわち、第２中心軸Ｓ２に対する同軸度等の製造寸法が管理されている）。
そして、円筒被ガイド部２４は、レンズ筒部材２０の雄ネジ部２３をベース筒部材１０の雌ネジ部１３に螺合させる際に、第２中心軸Ｓ２を第１中心軸Ｓ１に一致させるようにベース筒部材１０の円筒ガイド部１４にガイドされるものである。
【００２５】
次に、上記構成をなすレンズ鏡筒の組付け作業について説明する。
先ず、光学フィルタＯＦが予め組み付けられたベース筒部材１０、光軸Ｌが第２中心軸Ｓ２と一致するようにレンズＧが予め組み付けられたレンズ筒部材２０、検査用の撮像素子３０を実装した基板４０等が準備される。
そして、ベース筒部材１０の後端（ベースフランジ部１２の後端面１２ａ）に検査用の基板４０が取り付けられてベース筒部材１０及び基板４０が所定位置に固定される。
続いて、雄ネジ部２３等に予め接着剤が塗布されたレンズ筒部材２０が、ベース筒部材１０の前方側Ｆから近付けられて、雄ネジ部２３が雌ネジ部１３に螺合されつつ嵌め込まれる。
【００２６】
すると、その螺合の際に、レンズ筒部材２０の被ガイド部としての円筒被ガイド部２４がベース筒部材１０のガイド部としての円筒ガイド部１４により全周に亘ってガイドされて、レンズ筒部材２０の第２中心軸Ｓ２（レンズＧの光軸Ｌ）がベース筒部材１０の基準となる第１中心軸Ｓ１に一致させられ、第１中心軸Ｓ１に対する第２中心軸Ｓ２（及びレンズＧの光軸Ｌ）の傾きが防止される。
これにより、ベース筒部材１０の第１中心軸Ｓ１、レンズ筒部材２０の第２中心軸Ｓ２、及びレンズ筒部材２０に保持されたレンズＧの光軸Ｌは、全て同一の直線上にて一致することになる。
そして、撮像素子３０により撮影される画像を確認しつつ、レンズ筒部材２０の捩じ込み量（雌ネジ部１３に対する雄ネジ部２３の螺合量）を適宜調整することで、光軸Ｌの方向（第１中心軸Ｓ１及び第２中心軸Ｓ２の方向）におけるフォーカス調整を行うことができ、調整後において、予め塗布した接着剤を自然乾燥させることにより固着させて、調整位置のずれが防止される。
【００２７】
このように、ガイド部及び被ガイド部として円筒ガイド部１４及び円筒被ガイド部２４を採用したことにより、雄ネジ部２３と雌ネジ部１３の螺合関係において寸法のバラツキ等によるガタツキがあっても、組付け時の光軸倒れを防止することができる。
また、ガイド部及び被ガイド部として、雌ネジ部１３に隣接する（と共に第１中心軸Ｓ１の方向に所定長さの）円筒面１４ａをなす一つの円筒ガイド部１４及び雄ネジ部２３に隣接する（と共に第２中心軸Ｓ２の方向に所定長さの）円筒面２４ａをなす一つの円筒被ガイド部２４を採用したことにより、ベース筒部材１０及びレンズ筒部材２０を光軸Ｌの方向（第１中心軸Ｓ１及び第２中心軸Ｓ２の方向）において小型化しつつも、光軸倒れを防止することができる。
【００２８】
また、ベース筒部材１０（のベース筒部１１）の内周に形成された雌ネジ部１３に対して、レンズ筒部材２０（のレンズ筒部２１）の外周に形成された雄ネジ部２３を螺合させつつ組み付ける、すなわち、レンズ筒部材２０をベース筒部材１０の内側に嵌め込むように組み付けるため、視認性が良く、組付け作業を容易に行うことができ、又、ベース筒部材１０及びレンズ筒部材２０の外壁に貫通孔等を設けないため、内部に水滴等が侵入するのを防止することもできる。
尚、ここでは、レンズ鏡筒において、検査用の基板４０を仮止めして検査しつつ組み付ける手順を示したが、撮像素子３０を実装した基板４０を組み付けた状態で撮像装置として提供してもよい。
【００２９】
上記構成をなすレンズ鏡筒によれば、ベース筒部材１０及びレンズ筒部材２０を製造する際に所定寸法を管理し、レンズＧを組み込んだレンズ筒部材２０をベース筒部材１０に螺合して組み付け、フォーカス調整を行うだけで、全体の光軸調整を容易に行うことができ、構造の簡素化、小型化、低コスト化等を達成しつつ、組み立てが容易で、所望の光学特性を満足するレンズ鏡筒を得ることができる。
【００３０】
次に、本発明に係るレンズ鏡筒の第２実施形態及び撮像装置について、図６ないし図１０を参照しつつ説明する。
この実施形態に係るレンズ鏡筒は、図６ないし図１０に示すように、略円筒状に形成されたベース筒部材１００、略円筒状に形成されてベース筒部材１００に螺合により組み付けられるレンズ筒部材２００等を備えている。
そして、上記レンズ鏡筒（のベース筒部材１００の後端）に撮像素子３０を実装した基板４０が組み付けられることにより、撮像装置が構成されるようになっている。
【００３１】
ベース筒部材１００は、樹脂材料等により形成されており、図８（ａ），（ｂ），（ｃ）に示すように、基準となる第１中心軸Ｓ１を画定する円筒状のベース筒部１０１、ベース筒部１０１の後端に形成されたベースフランジ部１０２、ベース筒部１０１の内周に形成された第１ネジ部としての雌ネジ部１０３、第１中心軸Ｓ１の方向において雌ネジ部１０３とベースフランジ部１０２の間に形成され雌ネジ部１０３の内径よりも小さい内径にて接触するガイド部としての小径ガイド部１０４、雌ネジ部１０３を挟んで小径ガイド部１０４の反対側に形成され雌ネジ部１０３の内径よりも大きい内径にて接触するガイド部としての大径ガイド部１０５等を備えている。
【００３２】
ベース筒部１０１は、図８（ａ），（ｃ）に示すように、第１中心軸Ｓ１の方向に伸長する円筒状に形成されている。
ベースフランジ部１０２は、図８（ａ），（ｂ），（ｃ）に示すように、ベース筒部１０１の後端に一体的に形成されており、撮像素子３０を実装した基板４０を取り付けるべく略矩形の輪郭をなす後端面１０２ａを有する。
後端面１０２ａは、図８（ｂ），（ｃ）及び図１０に示すように、基板４０を取り付けた状態において、実装された撮像素子３０の撮像面の中心を通る中心垂直線を第１中心軸Ｓ１に一致させるように形成されている（すなわち、第１中心軸Ｓ１に対する垂直度、撮像素子３０の中心位置の位置決め部等の製造寸法が所定値となるように管理されている）。
【００３３】
雌ネジ部１０３は、図８（ｃ）及び図１０に示すように、ベース筒部１０１の内周において、第１中心軸Ｓ１の方向に所定の長さに亘って形成されており、レンズ筒部材２００の雄ネジ部２０３と螺合するようになっている。
小径ガイド部１０４は、図７（ｂ）、図８（ｃ）及び図１０に示すように、ベース筒部１０１の内周において、雌ネジ部１０３の後方側Ｒに隣接して正六角形柱の開口をなすように形成され、レンズ筒部材２００の小径被ガイド部２０４を６箇所にて接触しつつガイドするようになっている。
ここで、小径ガイド部１０４は、第１中心軸Ｓ１の方向において所定長さをなすと共に、その開口に内接する内接円の中心線が第１中心軸Ｓ１と一致するように形成されている（すなわち、第１中心軸Ｓ１に対する同軸度等の製造寸法が管理されている）。
大径ガイド部１０５は、図７（ａ）、図８（ｃ）及び図１０に示すように、ベース筒部１０１の内周において、雌ネジ部１０３の前方側Ｆに隣接して内周方向に６０度間隔で配置された６個の突条をなすように形成され、レンズ筒部材２００の大径被ガイド部２０５を６箇所にて接触しつつガイドするようになっている。
ここで、大径ガイド部１０５（６個の突条）は、第１中心軸Ｓ１の方向において所定長さをなすと共に、それらに内接する内接円の中心線が第１中心軸Ｓ１と一致するように形成されている（すなわち、第１中心軸Ｓ１に対する同軸度等の製造寸法が管理されている）。
そして、小径ガイド部１０４及び大径ガイド部１０５は、レンズ筒部材２００の雄ネジ部２０３をベース筒部材１００の雌ネジ部１０３に螺合させる際に、第２中心軸Ｓ２を第１中心軸Ｓ１に一致させるように、レンズ筒部材２００をガイドする役割をなすものである。
【００３４】
レンズ筒部材２００は、樹脂材料等により形成されており、図９（ａ），（ｂ），（ｃ）に示すように、第２中心軸Ｓ２を画定するレンズ筒部２０１、レンズ筒部２０１の内側に形成されてレンズＧを保持する保持部２０１ａ、レンズ筒部２０１の外周に形成された外環部２０２、レンズ筒部２０１の外周に形成された第２ネジ部としての雄ネジ部２０３、第２中心軸Ｓ２の方向において雄ネジ部２０３の後方側Ｒに隣接してレンズ筒部２０１の外周に形成された雄ネジ部２０３の外径よりも小さい外径にて小径ガイド部１０４に接触する小径被ガイド部２０４、雄ネジ部２０３を挟んで小径被ガイド部２０４の反対側に形成され雄ネジ部２０３の外径よりも大きい外径にて大径ガイド部１０５に接触する大径被ガイド部２０５、第２中心軸Ｓ２の方向において保持部２０１ａの後方側Ｒで小径被ガイド部２０４の内側の領域に形成された光学要素としての光学フィルタＯＦを取り付ける凹部２０６等を備えている。
【００３５】
レンズ筒部２０１は、図９（ａ），（ｂ），（ｃ）に示すように、第２中心軸Ｓ２の方向に伸長する多段円筒状に形成されている。
保持部２０１ａは、レンズＧを嵌め込んで固着するように形成されている。ここで、レンズＧは、レンズ筒部材２００に予め組付ける際に、その光軸Ｌが第２中心軸Ｓ２と一致するように調整しつつ組み込まれるようになっている。
外環部２０２は、図１０に示すように、ベース筒部材１０に螺合した状態において、ベース筒部材１００のベース筒部１０１の外輪郭と略同一の外輪郭をなすように形成されている。
雄ネジ部２０３は、図９（ａ）及び図１０に示すように、レンズ筒部２０１の内周において、第２中心軸Ｓ２の方向に所定の長さに亘って形成されており、ベース筒部材１００の雌ネジ部１０３と螺合するようになっている。
小径被ガイド部２０４は、図７（ｂ）、図９（ａ），（ｃ）及び図１０に示すように、レンズ筒部２０１の外周において、雄ネジ部２０３の後方側Ｒに隣接して円筒面２０４ａをなすように形成されている。
円筒面２０４ａは、第２中心軸Ｓ２の方向において所定長さをなすと共に、その中心線が第２中心軸Ｓ２と一致するように形成されている（すなわち、第２中心軸Ｓ２に対する同軸度等の製造寸法が管理されている）。
大径被ガイド部２０５は、図７（ａ）、図９（ａ），（ｃ）及び図１０に示すように、レンズ筒部２０１の外周において、雄ネジ部２０３の前方側Ｆに隣接して円筒面２０５ａをなすように形成されている。
円筒面２０５ａは、第２中心軸Ｓ２の方向において所定長さをなすと共に、その中心線が第２中心軸Ｓ２と一致するように形成されている（すなわち、第２中心軸Ｓ２に対する同軸度等の製造寸法が管理されている）。
そして、小径被ガイド部２０４及び大径被ガイド部２０５は、レンズ筒部材２００の雄ネジ部２０３をベース筒部材１００の雌ネジ部１０３に螺合させる際に、第２中心軸Ｓ２を第１中心軸Ｓ１に一致させるように、ベース筒部材１００の小径ガイド部１０４及び大径ガイド部１０５にそれぞれガイドされるものである。
凹部２０６は、図９（ｃ）及び図１０に示すように、第２中心軸Ｓ２の方向において、小径被ガイド部２０４の内側の領域に略円形をなす光学フィルタＯＦを挿入して接着等により固着するべく、略円環状をなすように形成されている。
【００３６】
次に、上記構成をなすレンズ鏡筒の組付け作業について説明する。
先ず、ベース筒部材１００、光軸Ｌが第２中心軸Ｓ２と一致するようにレンズＧが予め組み付けられると共に光学フィルタＯＦが予め組み付けられたレンズ筒部材２００、検査用の撮像素子３０を実装した基板４０等が準備される。
そして、ベース筒部材１００の後端（ベースフランジ部１０２の後端面１０２ａ）に検査用の基板４０が取り付けられてベース筒部材１００及び基板４０が所定位置に固定される。
続いて、雄ネジ部２０３等に予め接着剤が塗布されたレンズ筒部材２００が、ベース筒部材１００の前方側Ｆから近付けられて、雄ネジ部２０３が雌ネジ部１０３に螺合されつつ嵌め込まれる。
【００３７】
すると、その螺合の際に、レンズ筒部材２００の被ガイド部としての小径被ガイド部２０４及び大径被ガイド部２０５がベース筒部材１００のガイド部としての小径ガイド部１０４及び大径ガイド部１０５によりそれぞれガイドされて、レンズ筒部材２００の第２中心軸Ｓ２（レンズＧの光軸Ｌ）がベース筒部材１００の基準となる第１中心軸Ｓ１に一致させられ、第１中心軸Ｓ１に対する第２中心軸Ｓ２（及びレンズＧの光軸Ｌ）の傾きが防止される。
これにより、ベース筒部材１００の第１中心軸Ｓ１、レンズ筒部材２００の第２中心軸Ｓ２、及びレンズ筒部材２００に保持されたレンズＧの光軸Ｌは、全て同一の直線上にて一致することになる。
そして、撮像素子３０により撮影される画像を確認しつつ、レンズ筒部材２００の捩じ込み量（雌ネジ部１０３に対する雄ネジ部２０３の螺合量）を適宜調整することで、光軸Ｌの方向（第１中心軸Ｓ１及び第２中心軸Ｓ２の方向）におけるフォーカス調整を行うことができ、調整後において、予め塗布した接着剤を自然乾燥させることにより固着させて、調整位置のずれが防止される。
【００３８】
このように、ガイド部及び被ガイド部として、雌ネジ部１０３を挟んで形成された二つのガイド部（小径ガイド部１０４及び大径ガイド部１０５）、雄ネジ部２０３を挟んで形成された二つの被ガイド部（小径被ガイド部２０４及び大径被ガイド部２０５）を採用することにより、雄ネジ部２０３と雌ネジ部１０３の螺合関係において寸法のバラツキ等によるガタツキがあっても、組付け時の光軸倒れを防止することができ、又、一つのガイド部及び被ガイド部を採用する場合に比べてより確実に光軸倒れを防止することができる。
【００３９】
また、レンズ筒部材２００の小径被ガイド部２０４の内側に光学フィルタＯＦを設けるため、ガイド部及び被ガイド部として、雌ネジ部１０３及び雄ネジ部２０３を挟んで配置された二つのガイド部（小径ガイド部１０４及び大径ガイド部１０５）及び被ガイド部（小径被ガイド部２０４及び大径被ガイド部２０５）を採用しつつも、レンズ鏡筒としての光軸Ｌの方向（第１中心軸Ｓ１及び第２中心軸Ｓ２の方向）における全長が長くなるのを抑制でき、所望の光学特性を得ることができる。
さらに、ベース筒部材１００（のベース筒部１０１）の内周に形成された雌ネジ部１０３に対して、レンズ筒部材２００（のレンズ筒部２０１）の外周に形成された雄ネジ部２０３を螺合させつつ組み付ける、すなわち、レンズ筒部材２００をベース筒部材１００の内側に嵌め込むように組み付けるため、視認性が良く、組付け作業を容易に行うことができ、又、ベース筒部材１００及びレンズ筒部材２００の外壁に貫通孔等を設けないため、内部に水滴等が侵入するのを防止することもできる。
尚、ここでは、レンズ鏡筒において、検査用の基板４０を仮止めして検査しつつ組み付ける手順を示したが、撮像素子３０を実装した基板４０を組み付けた状態で撮像装置として提供してもよい。
【００４０】
上記構成をなすレンズ鏡筒によれば、ベース筒部材１００及びレンズ筒部材２００を製造する際に所定寸法を管理し、レンズＧを組み込んだレンズ筒部材２００をベース筒部材１００に螺合して組み付け、フォーカス調整を行うだけで、全体の光軸調整を容易に行うことができ、構造の簡素化、小型化、低コスト化等を達成しつつ、組み立てが容易で、所望の光学特性を満足するレンズ鏡筒を得ることができる。
【００４１】
上記実施形態においては、レンズ筒部材２０，２００をベース筒部材１０，１００に組み付ける手段として螺合構造を備えた構成において、本発明を採用した場合を示したが、これに限定されるものではなく、光軸倒れ等が問題となるような組み付けであればその他の組み付け手段を備えた構成において、本発明を採用してもよい。
上記実施形態においては、ベース筒部材１０，１００に形成する第１ネジ部として雌ネジ部１３，１０３を採用し、レンズ筒部材２０，２００に形成する第２ネジ部として雄ネジ部２３，２０３を採用した場合を示したが、これに限定されるものではなく、逆に、ベース筒部材に形成する第１ネジ部として雄ネジ部を採用し、レンズ筒部材に形成する第２ネジ部として雌ネジ部を採用する構成において、本発明を適用してもよい。
【００４２】
上記実施形態においては、ベース筒部材に設けるガイド部及びレンズ筒部材に設ける被ガイド部として、ベース筒部材１００に小径ガイド部１０４及び大径ガイド部１０５を設け、レンズ筒部材２００に小径被ガイド部２０４及び大径被ガイド部２０５を設けた構成を示したが、これに限定されるものではなく、ベース筒部材に小径ガイド部だけ又は大径ガイド部だけを設け、レンズ筒部材に小径被ガイド部だけ及び大径被ガイド部だけを設けた構成を採用してもよい。
上記実施形態においては、ベース筒部材１０に取り付ける光学要素として光学フィルタＯＦを採用し、レンズ筒部材２００に取り付ける光学要素として光学フィルタＯＦを採用した場合を示したが、これに限定されるものではなく、絞り部材等その他の光学要素を取り付けるようにしてもよい。
【産業上の利用可能性】
【００４３】
以上述べたように、本発明のレンズ鏡筒は、構造の簡素化、小型化、低コスト化等を達成しつつ、組み立てが容易であり、レンズの光軸調整（光軸の倒れを防止でき、光軸方向におけるフォーカス調整等）を容易に行うことができ、又、防水性も確保でき、所望の光学特性を確保することができるため、通常のカメラ（撮像装置）のレンズ鏡筒として適用できるのは勿論のこと、監視用カメラあるいは車載用カメラ等のレンズ鏡筒として、又、その他の認識あるいは撮像を行うレンズ光学系、あるいは、小型化が要求されかつ激しい環境下で使用されるレンズ光学系を含む、デジタルカメラやビデオカメラあるいはその他の撮像装置においても有用である。
【符号の説明】
【００４４】
１０，１００  ベース筒部材
Ｓ１  第１中心軸
１１，１０１  ベース筒部
１２，１０２  ベースフランジ部
１３，１０３  雌ネジ部（第１ネジ部）
１４  円筒ガイド部
１４ａ  円筒面
１５，２０６  凹部
２０，２００  レンズ筒部材
Ｓ２  第２中心軸
Ｇ  レンズ
Ｌ  光軸
２１，２０１  レンズ筒部
２２，２０２  外環部
２３，２０３  雄ネジ部（第２ネジ部）
２４  円筒被ガイド部
２４ａ  円筒面
１０４  小径ガイド部
１０５  大径ガイド部
２０４  小径被ガイド部
２０５  大径被ガイド部
２０４ａ，２０５ａ  円筒面
ＯＦ  光学フィルタ（光学要素）
３０  撮像素子
４０  基板
【図１】
2015210407.tif 000003
【図２】
2015210407.tif 000004
【図３】
2015210407.tif 000005
【図４】
2015210407.tif 000006
【図５】
2015210407.tif 000007
【図６】
2015210407.tif 000008
【図７】
2015210407.tif 000009
【図８】
2015210407.tif 000010
【図９】
2015210407.tif 000011
【図１０】
2015210407.tif 000012